(57)【要約】【課題】ＬＥＤの温度上昇を抑制するＬＥＤランプを提供する。【解決手段】光を放射するＬＥＤ２と、前記ＬＥＤ２が一方面３１に設けられた基板３と、前記基板３の他方面３２に設けられた放熱体４と、少なくとも前記基板３の一方面３１と前記ＬＥＤ２を被覆する透光性のカバー５と、前記基板３の第１側辺３３近傍に設けられた口金６と、前記第１側辺３３との対面となる前記基板３の第２側辺３４近傍に設けられたファン７と、を備えたＬＥＤランプ１。【選択図】図５
2019003726.tif 000002
【特許請求の範囲】
【請求項１】
光を放射するＬＥＤと、
前記ＬＥＤが一方面に設けられた基板と、
前記基板の他方面に設けられた放熱体と、
少なくとも前記基板の一方面と前記ＬＥＤを被覆する透光性のカバーと、
前記基板の第１側辺近傍に設けられた口金と、
前記第１側辺との対面となる前記基板の第２側辺近傍に設けられたファンと、
を備えた
ＬＥＤランプ。
【請求項２】
前記口金の挿着方向と平行な軸を回転軸として少なくとも前記基板を前記口金に対して回転可能にする回転手段を備えた
請求項１記載のＬＥＤランプ。
【請求項３】
前記基板の第１側辺側に向かった前記ＬＥＤからの光を反射し、前記基板の一方面側の空間に向ける第１の反射部材と、
前記基板の第２側辺側に向かった前記ＬＥＤからの光を反射し、前記基板の一方面側の空間に向ける第２の反射部材と、
を備えた
請求項１または２記載のＬＥＤランプ。
【請求項４】
前記ファンは、前記第２側辺近傍で、前記基板の一方面側と他方面側に跨って設けられ、
前記第２の反射部材の裏側に、前記ファンにより前記一方面側へ送り出された気体を前記放熱体の前記ＬＥＤの背面部位に向かって誘導する気体誘導面を備えた
請求項３記載のＬＥＤランプ。
【請求項５】
前記放熱体は、前記ファンから前記口金の方向へ長く、かつ前記基板とほぼ直角な複数の板状部を互いに対向させて平行に配置した構成である
請求項１から４の何れかに記載のＬＥＤランプ。
【発明の詳細な説明】
【技術分野】
【０００１】
この発明は、ＬＥＤランプに関する。
【背景技術】
【０００２】
従来、主に車道を照らす道路灯やトンネル照明には、水銀ランプ等の高輝度放電ランプ（ＨＩＤランプ）が用いられている。
【０００３】
しかし、道路灯やトンネル照明は、ランプ交換の困難な場所に設置されていることが多く、ランプ交換のメンテナンスコストが高くなるという問題があった。
【０００４】
そのため、従来型のＨＩＤランプの代替えとして、長寿命のＬＥＤランプの開発が望まれていた。ＬＥＤランプは、一般にＨＩＤランプよりも数倍長寿命であるとされている。
【０００５】
しかし、ＬＥＤは高温状態で使用されると、その寿命は短くなるという問題がある。
【０００６】
一方で、放熱性を向上して長寿命化を図ることのできる照明装置が提供されている（特許文献１参照）。この照明装置は、送風ファン２０の駆動によって開口部１０ａからダクト部１４に流入した気流が放熱板１３に沿って流通し、開口部１０ａを介して送出されるものである。
【０００７】
しかしながら、上述のような照明装置は、高出力が要求される道路灯やトンネル照明において、ＬＥＤの温度上昇を十分に抑制することは困難であった。
【先行技術文献】
【特許文献】
【０００８】
【特許文献１】特開２０１３−２５４５７６号公報
【発明の概要】
【発明が解決しようとする課題】
【０００９】
この発明は、上述の問題点に鑑みて、ＬＥＤの温度上昇を抑制するＬＥＤランプを提供することを目的とする。
【課題を解決するための手段】
【００１０】
この発明は、光を放射するＬＥＤと、前記ＬＥＤが一方面に設けられた基板と、前記基板の他方面に設けられた放熱体と、少なくとも前記基板の一方面と前記ＬＥＤを被覆する透光性のカバーと、前記基板の第１側辺近傍に設けられた口金と、前記第１側辺との対面となる前記基板の第２側辺近傍に設けられたファンと、を備えたＬＥＤランプであることを特徴とする。
【発明の効果】
【００１１】
この発明により、ＬＥＤの温度上昇を抑制するＬＥＤランプを提供できる。
【図面の簡単な説明】
【００１２】
【図１】ＬＥＤランプの正面図。
【図２】ＬＥＤランプの底面図。
【図３】ＬＥＤランプの右側面図。
【図４】ＬＥＤランプの左側面図。
【図５】ＬＥＤランプの一部断面正面図。
【図６】ＬＥＤランプの一部断面底面図。
【図７】ＬＥＤランプの右側面断面図。
【図８】ＬＥＤランプの回転機構部分を示す一部断面拡大正面図。
【図９】ＬＥＤランプの空気の流れを示す一部断面正面図。
【図１０】実施例２のＬＥＤランプの説明図。
【図１１】実施例２のＬＥＤランプの平面図。
【図１２】実施例２のＬＥＤランプの一部切断斜視図。
【発明を実施するための形態】
【００１３】
以下、この発明の一実施形態を図面と共に説明する。
【実施例１】
【００１４】
＜全体構成／外観＞
図１は、横に寝かせたＬＥＤランプ１の正面図であり、図２は、横に寝かせたＬＥＤランプ１の底面図であり、図３は、横に寝かせたＬＥＤランプ１の右側面図であり、図４は、横に寝かせたＬＥＤランプ１の左側面図である。
【００１５】
図１及び図２に示すように、ＬＥＤランプ１は、円筒形の透光性のカバー５と、カバー５の一端５３の開口５４に設けられたエンドキャップ７１と、他端５５の開口５６側に設けられた口金６を有している。カバー５内には、光を放射するＬＥＤ２が設けられた基板３及び放熱体４が設けられている。カバー５の一端５３の開口５４には、外径がカバー５の外径とほぼ同じ大きさの略円筒状で、カバー５側の面に開口７６を有し、カバー５の反対側の面に閉口部７５を有するエンドキャップ７１が連結されている。エンドキャップ７１の閉口部７５には、複数の通気孔７３（図３参照）が設けられている。カバー５の他端５５の開口５６側には、外径がカバー５の外径とほぼ同じ大きさで略円筒状の連結モールド６２と、連結モールド６２側から口金６側へ徐々に縮径する略円錐台状の口金モールド６１と、口金６とがこの順に連結されている。口金モールド６１は、一端６７が連結モールド６２と連結モールド６２の軸心回りに回転可能に連結され、他端６８が口金６によりキャップされている。カバー５の軸心、連結モールド６２の軸心、口金モールド６１の軸心、及び口金６の軸心は、全て一致する。また、口金モールド６１の側面部６６にも、複数の通気孔６５が設けられている（図４参照）。ここでは、口金６は、Ｅ３９の回しこみタイプの口金を使用し、カバー５、エンドキャップ７１、及び連結モールド６２の外径は、全て約６５ｍｍとし、全長を約２９０ｍｍとしている。これにより、既存のメタルハライドランプとの外形上、及びソケットとの互換性を持たせている。エンドキャップ７１内には、ファン７が格納されている。
【００１６】
＜内部構造＞
図５は、横に寝かせたＬＥＤランプ１の正面視による組立図（一部断面正面図）であり、図６は、横に寝かせたＬＥＤランプ１の底面視による組立図（一部断面底面図）であり、図７は、横に寝かせたＬＥＤランプ１の中央部の右側面断面図である。
【００１７】
≪ＬＥＤ／基板≫
図５及び図６に示すように、ＬＥＤランプ１は、ＬＥＤ２が基板３に表面実装されたＣＯＢ（Ｃｈｉｐ  Ｏｎ  Ｂｏａｒｄ）方式のＬＥＤ２が使用されている。ここで、ＬＥＤ２は、例えば、複数の青色ＬＥＤチップ（図示せず）が基板３の一方面３１（図５では下側面）上に平面状に配置され、当該青色ＬＥＤチップの表面を黄色蛍光体（図示せず）で被覆された白色光を発するＬＥＤを使用することができる。尚、当該青色ＬＥＤチップの使用個数は、ＬＥＤランプ１の仕様、例えば、全光束等に応じて選択され、同時に、供給電力も決定される。
【００１８】
基板３は、アルミ等の金属素材、またはセラミック素材等の適宜の素材が使用されている。基板３は、略矩形状平板で、カバー５のほぼ中心でカバー５内部を上半分の半円柱形と下半分の半円柱形に分離するように配置されている。基板３の一方面３１には、ＬＥＤ２が実装されている。ＬＥＤ２は、基板３の一方面３１の中央部３５に円形状に配置されている。基板３は、短辺の第１側辺３３近傍に口金６が設けられ、第１側辺３３との対面となる第２側辺３４近傍にファン７が設けられるように配置されている。基板３には、一方面３１の第１側辺３３側の一方の隅部３６にコネクタ３０が設けられている。また、基板３は、電気配線パターン（図示せず）が一方面３１上にプリントされている。これにより、基板３に実装されているＬＥＤ２は、基板３にプリントされている当該電気配線パターンによりコネクタ３０と電気的に接続され、さらに当該コネクタ３０を介して電気配線（図示せず）により口金６に電気的に接続されている。基板３は、他方面３２（図５では上側面）に放熱体４が設けられている。基板３は、他方面３２の全面が放熱体４の放熱体本体部４１の一端面４３に面接触するように密着されネジ止め固定されている。
【００１９】
≪放熱体≫
放熱体４は、熱伝導性の良いアルミ等の金属素材が使用されている。放熱体４は、放熱体本体部４１と複数のフィン４２とを一体として備えている。
【００２０】
放熱体本体部４１は、略矩形状の板状体で、一端面４３で面接触している基板３よりも一回り大きく、短辺（第１側辺４５、第２側辺４６）が基板３よりも僅かに長く、長辺４８，４９が短辺（第１側辺４５、第２側辺４６）の３倍程度に長く形成されている。放熱体本体部４１は、基板３と互いの短辺（第１側辺４５、第２側辺４６）同士が対向するように向けられ、基板３が一端面４３の中央より第２側辺４６側のファン７に少し近い側に配置されている。放熱体本体部４１は、第２側辺４６が基板３の第２側辺３４との間に所定の間隔を開けるように配置されている。そして、放熱体本体部４１は、第２側辺４６に、基板３の第２側辺３４近傍にまで切り込まれたコ字状の切欠き部４７が形成されている。尚、切欠き部４７は、ファン７が吸い込んだ空気の一部を、後述する隣接するフィン４２間の隙間に通気させる通気口として機能する。
【００２１】
各フィン４２は、略矩形状の板状体で、長辺４２ａ、４２ｂが放熱体本体部４１の長手方向に沿っており、放熱体本体部４１の切欠き部４７が無いと仮定した場合の第２側辺４６から対面となる第１側辺４５まで伸びている。そして、各フィン４２は、当該長辺の一方４２ｂが放熱体本体部４１の他端面４４に当接して、放熱体本体部４１に対して略垂直に立設している。各フィン４２は、互いに平行に略等間隔に配列されている。尚、各フィン４２の短辺４２ｃ、４２ｄの長さ（高さ）は、各フィン４２がカバー５の内周面５１と当接するかしない程度に個別に調節されている。
【００２２】
≪リフレクタ≫
放熱体本体部４１には、ＬＥＤ２が放射する光を反射するベースリフレクタ２１とトップリフレクタ２２が設けられている。
【００２３】
ベースリフレクタ２１は、直径面２１ａ及び一方の端面２１ｂが開口する略半円筒状で、直径面２１ａが放熱体本体部４１の第１側辺４５と基板３の第１側辺３３との間の放射体本体部４１の一端面４３に当接するようにネジ止め固定されている。ベースリフレクタ２１は、他方の端面２１ｃを、放射体本体部４１の一端面４３に当接し且つ基板３の第１側辺３３に平行に隣接する端辺２１ｄを直径とし、口金６側の外方に斜めに傾斜する縦長の略半円弧状で、ＬＥＤ２からの光を基板３の一方面３１側の空間に向けて反射する反射面２３ａを有する反射板２３を有している。すなわち、反射板２３は、カバー５の内部のうちＬＥＤ２側の半分を斜めに輪切りにするような形状に形成され、カバー５の内面との近接部分より放射体本体部４１との当接部分がＬＥＤ２に近いように傾斜配置されている。尚、反射板２３の一部に、コネクタ３０と口金６とを電気的に接続する電気配線（図示せず）を通す貫通口２５が設けられている。また、ベースリフレクタ２１は、縦長の略半円弧状の弧状部２１ｅがカバー５の内周面５１と当接しないように大きさの調節がされている。
【００２４】
トップリフレクタ２２は、直径面２２ａ及び一方の端面２２ｂが開口する略半円筒状で、直径面２２ａが放熱体本体部４１の第２側辺４６と基板３の第２側辺３４との間の放射体本体部４１の一端面４３に当接するようにネジ止め固定されている。トップリフレクタ２２は、他方の端面２２ｃを、放射体本体部４１の一端面４３に当接し且つ基板３の第２側辺３４に平行に隣接する端辺２２ｄを直径とし、ファン７側の外方に斜めに傾斜する縦長の略半円弧状で、ＬＥＤ２からの光を基板３の一方面３１側の空間に向けて反射する反射面２４ａを有する反射板２４を有している。すなわち、反射板２４は、カバー５の内部のうちＬＥＤ２側の半分を斜めに輪切りにするような形状に形成され、カバー５の内面との近接部分より放射体本体部４１との当接部分がＬＥＤ２に近いように傾斜配置されている。尚、トップリフレクタ２２も、縦長の略半円弧状の弧状部２２ｅがカバー５の内周面５１と当接しないように大きさの調節がされている。また、反射板２４は、裏側に、ファン７により基板３の一方面３１側に吸い込まれた空気を基板３の他方面３２側の放熱体４のフィン４２に向けて誘導する気体誘導面２４ｂを有している。
【００２５】
≪カバー≫
ＬＥＤランプ１は、上述のＬＥＤ２が実装された基板３、放熱体４、ベースリフレクタ２１、及びトップリフレクタ２２を覆う、両端５３，５５が開口する略円筒状のカバー５を備えている。
【００２６】
カバー５は、ポリカーボネート等のプラスティック素材で径が一定の円筒形に形成されており、ＬＥＤ２が放射する光を透過する透光性を有している。カバー５は、内径が放熱体本体部４１の第１側辺４５及び第２側辺４６の長さとほぼ同じで、軸心方向に延びる一対の案内溝５２が内周面５１の直径方向の対向する位置に形成されている。カバー５の両案内溝５２に放熱体本体部４１の第１側辺４５の両端４５ａ、４５ｂ、または第２側辺４６の両端４６ａ、４６ｂを嵌め合わせ、カバー５の軸心方向に放熱体本体部４１をスライドさせることにより、放熱体４と、放熱体本体部４１に固定されている、ＬＥＤ２が実装された基板３と、ベースリフレクタ２１と、トップリフレクタ２２とをカバー５内に格納することができる。なお、カバー５は、半円筒形に形成されて、放熱体本体部４１よりＬＥＤ２側のみを被覆し、放熱体本体部４１の後方（フィン４２が存在する方）を解放する構成とすることもできる。この場合、フィン４２を外気に直接接触させることができる。
【００２７】
≪ファン／エンドキャップ≫
ファン７は、例えば、電動機７ａの軸に沿って直線的に空気が流れる軸流ファン７を使用している。ファン７は、その軸の方向が各フィン４２の長辺４２ａ、４２ｂに平行で、かつその軸の延長線上に放熱体本体部４１の第２側辺４６がくるように配置され、ファン取付リング７２を介して放熱体本体部４１の第２側辺４６を含む端面４６ｃにネジ止め固定されている。このため、ファン７は、基板３の一方面３１側と他方面３２側に跨って設けられることになる。
【００２８】
エンドキャップ７１は、ファン７を覆うようにして、ファン取付リング７２に取り付けられている。上述のように、エンドキャップ７１の閉口部７５には、複数の通気孔７３が設けられている（図３参照）。
【００２９】
ファン７は、回転時に、エンドキャップ７１の通気孔７３からＬＥＤランプ１内に空気を吸い込み、放熱体４を介して、口金モールド６１の側面部６６の通気孔６５より排気する（図３参照）。
【００３０】
≪連結モールド／回転ガイドリング／口金モールド≫
図８は、横に寝かせたＬＥＤランプ１の正面視による回転機構８の縦断面を示す組立図である。回転機構８は、連結モールド６２、回転ガイドリング６３、及び口金モールド６１が組み合わされて構成されている。回転機構８は、放熱体４（フィン４２他）に連結された連結モールド６２と、連結モールド６２連結された回転ガイドリング６３とが、口金モールド６１に対して回転する機構となっている。
【００３１】
詳述すると、連結モールド６２は、略円筒状で、口金モールド６１側の端部６２ａの全外周面に凹部６２ｂが形成されている。
【００３２】
回転ガイドリング６３は、リング状で、口金モールド６１側の端部６３ｂの全外周面に半径方向に突出する突出部６３ａが形成されている。そして、回転ガイドリング６３は、回転ガイドリング６３の軸心と連結モールド６２の軸心とが一致するようにして、連結モールド６２内に配置され、連結モールド６２にネジ止め固定されている。
【００３３】
口金モールド６１は、略円錐台筒状の胴体部６１ｃと、胴体部６１ｃの拡径側に延設され、連結モールド６２に対して摺動回転可能な円筒状の連結部６１ｄと、胴体部の縮径側に延設され、口金６（図示せず）が取り付けられる２段階に縮径された階段状円筒状の口金取付部６１ｅとを有している。口金モールド６１は、回転ガイドリング受部材６１ａが口金モールド６１の内周面６１ｆに同心円状に等間隔で４つ設けられている。回転ガイドリング受部材６１ａは、口金モールド６１の内周面６１ｆから軸心方向に突き出した板状体で、回転ガイドリング６３に対向する対向端部６１ｇに、回転ガイドリングを受ける受溝６１ｂを有している。各受溝６１ｂは、回転ガイドリング６３を支持し、回転ガイドリング６３が軸心回りに摺動可能となるように、溝幅が突出部６３ａを含んだ回転ガイドリング６３の幅より僅かに広い凹状になっている。
【００３４】
回転ガイドリング６３は、口金モールド６１の各回転ガイドリング受部材６１ａの受溝６１ｂ内に嵌め込まれ、そして、突出部６３ａの一部を、各回転ガイドリング受部材６１ａの対向端部６１ｇで受溝６１ｂより半径方向外方側の対向外方端部６１ｈにネジ止めされ受溝６１ｂ内方側に突出したガイドワッシャ６４と、受溝６１ｂの底部６１ｉとで挟み込むことで、軸心方向の移動が規制されている。
【００３５】
これにより、回転ガイドリング６３は、口金モールド６１に対して、軸心方向に移動することなく、軸心回りに回転可能となっている。
【００３６】
尚、連結モールド６２は、口金モールド６１側の端部６２ａの全外周面に形成された凹部６２ｂが、口金モールド６１の連結部６１ｄに摺動可能に嵌め込まれているため、口金モールド６１に対して、軸心回りに回転でき、かつ、任意に回転させた位置で停止させることが可能な構成となっている。
【００３７】
よって、回転ガイドリング６３に連結モールド６２を介して連結された放熱体４、基板３、ＬＥＤ２、カバー５、ファン７、およびエンドキャップ７１を有するランプ本体部分も、口金モールド６１及び口金モールド６１の口金取付部６１ｅに取り付けられた口金６に対して軸心回りに回転可能となっている（図１〜７参照）。これにより、ＬＥＤランプ１を口金６によりソケットに取り付けた後に、連結モールド６２を回転させて本体部分の向きを調整でき、ＬＥＤ２の向きおよび照明方向を鉛直下方などの任意の方向に向けることができる。
【００３８】
＜空気の流れ＞
図９は、横に寝かせたＬＥＤランプ１の正面視による空気の流れを示す模式図である。
【００３９】
ファン７により吸い込まれた空気の一部Ｋ１は、そのまま直進して放熱体４の隣接する各フィン４２と放熱体本体部４１とで囲まれた隙間を通過する（図７参照）。その間、当該隙間を通過する空気Ｋ１は、発光と同時に発熱するＬＥＤ２により基板３を介して熱伝導で熱せられた放熱体４の各フィン４２及び放熱体本体部４１から熱を奪い冷却する。放熱体４から熱を奪い熱くなった空気Ｋ１は、口金モールド６１に設けられた通気孔６５から排気される。
【００４０】
また、ファン７により吸い込まれた空気には、トップリフレクタ２２の反射板２４の裏側の気体誘導面２４ｂに向けて進行する他の空気Ｋ２がある。当該空気Ｋ２は、反射板２４の気体誘導面２４ｂに衝突すると、気体誘導面２４ｂによる誘導により気流の向きが変えられる。そして、当該空気Ｋ２は、当該反射板２４の気体誘導面２４ｂに沿うようにして放熱体本体部４１の切欠き部４７の方に向けて進行する（図５、６参照）。そして、放熱体本体部４１の切欠き部４７を通過した空気Ｋ２は、放熱体４の隣接する各フィン４２と放熱体本体部４１とで囲まれた隙間に図中の斜め下方から進入し、その後、放熱体本体部４１とカバー５との間を振動しながら通過していく。そして、当該空気Ｋ２は、通過の際に、空気の一部Ｋ１と同様に、放熱体４の各フィン４２及び放熱体本体部４１から熱を奪い冷却する。そして、放熱体４から熱を奪い熱くなった当該空気Ｋ２は、口金モールド６１に設けられた通気孔６５から排気される。尚、当該空気Ｋ２は、ここでは、放熱体本体部４１とカバー５との間を振動しながら通過している。このため、各フィン４２の放熱体本体部４１側とカバー５側との間の温度分布（温度差）は、当該空気Ｋ２の通過により小さくなる。そして、これにより、各フィン４２は、温度分布が均一化され、冷却効率が上昇する。
【００４１】
以上の構成と動作により、ＬＥＤ２の温度上昇を抑制するＬＥＤランプ１を提供することができる。  
詳述すると、ＬＥＤランプ１は、光を放射するＬＥＤ２と、ＬＥＤ２が一方面３１に設けられた基板３と、基板３の他方面３２に設けられた放熱体４と、少なくとも基板３の一方面３１とＬＥＤ２を被覆する透光性のカバー５と、基板３の第１側辺３３近傍に設けられた口金６と、第１側辺３３との対面となる基板３の第２側辺３４近傍に設けられたファン７とを備えている。
【００４２】
このため、ファン７の基板３及び放熱体４が設けられた反対側には、空気の吸い込みとって大きな障害となるものがなく、ファン７の吸い込む空気の抵抗は大きくない。これにより、ファン７は大量の空気を容易に吸い込むことができ、基板３に実装されたＬＥＤ２を効率良く冷却することができ、ＬＥＤ２の温度上昇を抑制できる。
【００４３】
ＬＥＤランプ１は、口金６の挿着方向と平行な軸の回りに、少なくとも基板３を口金６に対して回転可能にする回転機構８を備えている。
【００４４】
例えば、道路灯等のソケットに、口金６をねじ込んでＬＥＤランプ１を取り付けた場合に、基板３に実装されたＬＥＤ２の向きが、道路を正確に照らす方向に向かないことがある。しかし、ＬＥＤランプ１は、少なくとも基板３を口金６に対して回転可能にする回転機構８を備えているため、取り付けたその場で、基板３に実装されたＬＥＤ２の向きを、道路を正確に照らす方向に向けるよう調整することができる。
【００４５】
ＬＥＤランプ１は、基板３の第１側辺３３側に向かったＬＥＤ２からの光を反射し、基板３の一方面３１側の空間に向けるベースリフレクタ２１の反射板２３と、基板３の第２側辺３４側に向かったＬＥＤ２からの光を反射し、基板３の一方面３１側の空間に向けるトップリフレクタ２２の反射板２４とを備えている。
【００４６】
これにより、ＬＥＤ２が放射する光を基板３の一方面３１側の空間方向に集中させることができると共に、ＬＥＤ２と反射板２３または反射板２４とを結ぶ延長線上には光の放射がされなくなる。このため、ＬＥＤランプ１は、例えば、道路灯のように、特定の空間方向、すなわち道路面に光の放射を集中させたい照明に適しており、さらに、当該照明に使用した場合、自動車の運転手が離れた場所から照明の方向に視線を向けたとしても、照明からの光が目に入らないようにすることができるという長所がある。
【００４７】
ＬＥＤランプ１は、ファン７が、基板３の第２側辺３４近傍で、基板３の一方面３１側と他方面３２側に跨って設けられ、トップリフレクタ２２の反射板２４の裏側に、ファン７により基板３の一方面３１側へ送り出された気体を放熱体４のＬＥＤ２の背面部位に向かって誘導する気体誘導面２４ｂを備えている。
【００４８】
これにより、ファン７により吸い込まれた後、反射板２４の裏側の気体誘導面２４ｂにより誘導されて、放熱体４の隣接する各フィン４２と放熱体本体部４１とで囲まれた隙間に進行した空気Ｋ２は、その後、放熱体本体部４１とカバー５との間を上下に揺れながら通過していくことになる。このため、各フィン４２は、当該空気Ｋ２により、冷却されるだけでなく、各フィン４２の放熱体本体部４１側とカバー５側との間の温度分布の均一化が促進される。これにより、各フィン４２による冷却効率が向上し、これに伴い、ＬＥＤ２の冷却もより一層促進され、ＬＥＤ２の温度上昇を抑制することができる。特に、フィン４２が基板３と垂直に配置されて互いに平行に配置されているため、上述した空気Ｋ２の上下の揺れを妨げることがなく、効率よい冷却を実現できる。
【００４９】
また、側面視すると基板３の表裏にまたがるように設けられているファン７により基板３の表側と裏側の両方へ送られる空気Ｋ１，Ｋ２は、切欠き部４７を通じて全て基板３の裏側にあるフィン４２へ誘導される。これにより、大きさや形状に制約のあるなかで、外気を最大に取り込んでフィン４２に送り出すことができ、効率良く冷却することができる。
【００５０】
ＬＥＤランプ１は、放熱体４が、ファン７から口金６の方向へ長く、かつ基板３とほぼ直角な複数の板状部としてのフィン４２を互いに対向させて平行に配置した構成である。
【００５１】
上述のような構成の放熱体４は、ファン７により送り込まれた空気Ｋ１、Ｋ２と接する表面積が大きく、しかも空気Ｋ１、Ｋ２の流動がスムーズに行えるようになっているため、冷却効率が良い。ＬＥＤランプ１は、このような冷却効率の良い放熱体４を搭載しているため、ＬＥＤ２の温度上昇を抑制することができる。  
ＬＥＤランプ１は、ファン７を用いて積極的に冷却しているため、例えば、ガソリンスタンド等で使用されている密閉型の照明器具用のランプとしても用いることができる。
【実施例２】
【００５２】
図１０（Ａ）は、横に寝かせた実施例２のＬＥＤランプ１０１の正面図であり、図１０（Ｂ）は、横に寝かせた実施例２のＬＥＤランプ１０１の底面図であり、図１１は、横に寝かせた実施例２のＬＥＤランプ１０１の平面図であり、図１２は、横に寝かせた実施例２のＬＥＤランプ１０１の右側を切断して示す斜視図である。
【００５３】
以下、実施例２のＬＥＤランプ１０１について、実施例１のＬＥＤランプ１との相違点を説明し、実施例１のＬＥＤランプ１と同様の点についての説明は省略する。
【００５４】
上述のように、実施例１のＬＥＤランプ１は、図５、図６に示したように、放熱体本体部４１と複数のフィン４２とを一体として備えている放熱体４と、ベースリフレクタ２１と、トップリフレクタ２２とが、それぞれ別部材で形成されている。そして、ベースリフレクタ２１とトップリフレクタ２２とは、放熱体４の放熱体本体部４１にそれぞれネジ止め固定されている。
【００５５】
これに対して、実施例２のＬＥＤランプ１０１は、実施例１のＬＥＤランプ１における放熱体４（図５参照）とベースリフレクタ２１（図５参照）とトップリフレクタ２２（図５参照）とが一体成形されたボディ１０４を備えている点で、実施例１のＬＥＤランプ１と相違する。すなわち、ボディ１０４は、放熱体本体部４１（図５参照）に対応するボディ本体部１４１（図１０参照）と、ベースリフレクタ２１（図５参照）に対応するベースリフレクタ部１２１（図１０参照）と、トップリフレクタ２２（図５参照）に対応するトップリフレクタ部１２２（図１０参照）と、複数のフィン１４２（図１０参照）を一体として備えている。尚、一体成形の方法は、削り出し加工によっても、型抜きによってもよい。
【００５６】
ボディ１０４は、ボディ本体部１４１とベースリフレクタ部１２１とトップリフレクタ部１２２とが、略長円形状の板状体を仮想球体面の一部を形成するようにして湾曲させた略湾曲板１４１ａで形成されている。この略湾曲板１４１ａの裏面側のフィン１４２の無い部分が、気体を誘導する気体誘導面１２４ｂとして機能する。
【００５７】
ボディ本体部１４１は、略湾曲板１４１ａの中央部に形成された平板状の円形領域に形成されている。ボディ本体部１４１は、略湾曲板１４１ａの凹状面１４１ｃの中央部に、ＬＥＤ１０２が表面実装された基板１０３がネジ止め固定されている。
【００５８】
ベースリフレクタ部１２１とトップリフレクタ部１２２とは、略湾曲板１４１ａの長手方向の両側方部に、ボディ本体部１４１に隣接してそれぞれ形成されている。
【００５９】
また、ボディ１０４は、複数のフィン１４２が略湾曲板１４１ａの凸状面側１４１ｂに略湾曲板１４１ａに立てて設けられている。  
各フィン１４２は、板状体で、略湾曲板１４１ａの長手方向に沿って伸び、ボディ本体部１４１に対して略垂直で、互いに平行に略等間隔に配列されている。
【００６０】
ボディ１０４は、円筒状のカバー１０５内に挿入され、各フィン１４２の伸びる方向がカバー１０５の中心線方向と平行になるように配置される。そのため、各フィン１４２は、伸びる方向の長さがカバー１０５の長さとほぼ同じになるように設定されている。また、ボディ本体部１４１をカバー１０５の中心線近傍上に配置し、且つ当該配置状態で各フィン１４２の上下の端辺を、カバー１０５の内周面１５１に当接するかしない程度に接近させている。そのため、各フィン１４２の上下幅は、個別に且つ伸びる方向に沿った場所ごとに調節されている。
【００６１】
以上の構成と動作により、ボディ本体部１４１とベースリフレクタ部１２１とトップリフレクタ部１２２とが、不連続な屈曲部を有しない一体物の略湾曲板１４１ａで形成されている。このため、ファン１０７により吸い込まれた空気は、略湾曲板１４１ａの凸状面側１４１ｂに立てて設けられている複数のフィン１４２の間を、略湾曲板１４１ａの凸状面側１４１ｂに沿って淀むことがほとんどなくスムーズに通過することができ、効率よく冷却できる。
【００６２】
また、ベースリフレクタ部１２１とトップリフレクタ部１２２とがボディ本体部１４１と一体化されている。そのため、ベースリフレクタ部１２１とトップリフレクタ部１２２は、ボディ本体部１４１と同様に放熱体としての機能を積極的に発揮することができ、冷却効率が向上する。  
【００６３】
尚、この発明と実施形態の対応において、
回転手段は、回転機構８に対応し、
以下同様に
第１の反射部材は、ベースリフレクタ２１およびベースリフレ久田部１２１に対応し、
第２の反射部材は、トップリフレクタ２２およびトップリフレ久田部１２２に対応し、
板状部は、フィン４２，１４２に対応するが、
この発明は本実施形態に限られず他の様々な実施形態とすることができる。
【産業上の利用可能性】
【００６４】
この発明は、ＬＥＤを用いた照明の産業に利用することができる。
【符号の説明】
【００６５】
１…ＬＥＤランプ
２…ＬＥＤ
３…基板
４…放熱体
５…カバー
６…口金
７…ファン
８…回転機構
２１…ベースリフレクタ
２２…トップリフレクタ
２４ｂ，１２４ｂ…気体誘導面
４１…放熱体本体部
４２…フィン
１２１…ベースリフレクタ部
１２２…トップリフレクタ部
【図１】
2019003726.tif 000003
【図２】
2019003726.tif 000004
【図３】
2019003726.tif 000005
【図４】
2019003726.tif 000006
【図５】
2019003726.tif 000007
【図６】
2019003726.tif 000008
【図７】
2019003726.tif 000009
【図８】
2019003726.tif 000010
【図９】
2019003726.tif 000011
【図１０】
2019003726.tif 000012
【図１１】
2019003726.tif 000013
【図１２】
2019003726.tif 000014